(57)【要約】【解決手段】汚水処理装置は、流入汚水２９に対し嫌気処理等の前処理がなされた処理汚水３０に対し酸素供給条件下で微生物を働かせることによりその処理汚水３０を分解処理する曝気槽２と、曝気槽２で処理された処理汚水３２を処理汚泥３３と処理水３４とに分離する固液分離槽３とを備えている。曝気槽２には、処理汚水３２を固液分離槽３に供給する高水位排出口２１を設けるばかりではなく、高水位排出口２１よりも低い位置に低水位排出口２８ａを有するサイホン管２８を接続し、サイホン管２８を固液分離槽３に接続している。曝気槽２内の処理汚水３０の水位に応じて、高水位排出口２１及びサイホン管２８により、固液分離槽３への処理汚水３２の供給量を制御する。【効果】サイホン管２８を利用したので、曝気槽２から固液分離槽３へ水位に応じて処理汚水３２を送るための処理汚水供給量制御機構の設備費を低減することができる。【選択図】図１
2006224072.tif 000002
【特許請求の範囲】
【請求項１】
活性汚泥を利用した曝気槽を備えた汚水処理装置において、流入汚水を処理する複数の槽のうち、上流側の槽と下流側の槽との間には、上流側の槽で処理された処理汚水を下流側の槽に供給するサイホン管を接続したことを特徴とする汚水処理装置。
【請求項２】
流入汚水に対し前処理がなされた処理汚水に対し酸素供給条件下で微生物を働かせることによりその処理汚水を分解処理する曝気槽と、この曝気槽で処理された処理汚水を処理汚泥と処理水とに分離する固液分離槽とを備えた汚水処理装置において、この曝気槽と固液分離槽との間には曝気槽で処理された処理汚水を固液分離槽に供給するサイホン管を接続したことを特徴とする汚水処理装置。
【請求項３】
流入汚水に対し前処理がなされた処理汚水に対し酸素供給条件下で微生物を働かせることによりその処理汚水を分解処理する曝気槽と、この曝気槽で処理された処理汚水を処理汚泥と処理水とに分離する固液分離槽とを備えた汚水処理装置において、この曝気槽には、処理汚水を固液分離槽に供給する高水位排出口を設けるばかりではなく、この高水位排出口よりも低い位置に低水位排出口を有するサイホン管を接続し、このサイホン管を固液分離槽に接続したことを特徴とする汚水処理装置。
【発明の詳細な説明】
【技術分野】
【０００１】
本発明は、微生物を利用した汚水処理装置に関するものである。
【背景技術】
【０００２】
下記特許文献１にかかる汚水処理装置は、流入汚水（８）に対し微生物を働かせることによりその流入汚水（８）を分解処理する嫌気処理を行う嫌気処理部（１，２）と、この嫌気処理部（１，２）で処理された処理汚水（１１）に対し酸素供給条件下で微生物を働かせることによりその処理汚水（１１）を分解処理する硝化処理部（３）と、この硝化処理部（３）で処理された処理汚水（１８）を処理汚泥（９）と処理水（２４）とに分離する固液分離部（５）とを備えている。
【特許文献１】特開２００３−３１１２９６号公報
【発明の開示】
【発明が解決しようとする課題】
【０００３】
上記汚水処理装置では、硝化処理部（３）内に設けられた水位センサ（３０，３１）からの信号に基づきポンプ（２３）がコントローラ（３２）により駆動制御されて硝化処理部（３）から固液分離部（５）に処理汚水（１８）が送られる。そのため、このような処理汚水供給量制御機構では、水位センサ（３０，３１）やポンプ（２３）やコントローラ（３２）を必要とし、設備費が高くなる問題があった。
【０００４】
この発明は、曝気槽を備えた汚水処理装置において曝気槽等の槽から固液分離槽等の槽へ水位に応じて処理汚水を送るための処理汚水供給量制御機構の設備費を低減することを目的としている。
【課題を解決するための手段】
【０００５】
後記実施形態の図面（図１）の符号を援用して本発明を説明する。
請求項１の発明にかかる汚水処理装置は下記のように構成されている。
活性汚泥を利用した曝気槽（２）を備えた汚水処理装置において、流入汚水（２９）を処理する複数の槽（１，２，３）のうち、上流側の槽（２）と下流側の槽（３）との間には、上流側の槽（２）で処理された処理汚水（３２）を下流側の槽（３）に供給するサイホン管（２８）を接続している。上流側の槽（２）で処理汚水（３０）の水位がサイホン管（２８）の出口（２８ａ）よりも高くなると、上流側の槽（２）内の処理汚水（３０）がサイホン管（２８）により下流側の槽（３）に供給される。上流側の槽（２）で処理汚水（３０）の水位がサイホン管（２８）の出口（２８ａ）よりも低くなると、上流側の槽（２）内の処理汚水（３０）は下流側の槽（３）に供給されない。従って、上流側の槽（２）内の処理汚水（３０）の水位に応じて、サイホン管（２８）により、下流側の槽（３）への処理汚水（３２）の供給量を制御することができる。例えば、請求項２〜３の発明のように、上流側の槽が曝気槽（２）であるとともに下流側の槽が固液分離槽（３）である。そのほか、図示しないが、上流側の槽が嫌気処理槽（１）であるとともに下流側の槽が曝気槽（２）であってもよい。
【０００６】
請求項２〜３の発明にかかる汚水処理装置は下記の共通構成を有している。
この汚水処理装置は、流入汚水（２９）に対し前処理がなされた処理汚水（３０）に対し酸素供給条件下で微生物を働かせることによりその処理汚水（３０）を分解処理する曝気槽（２）と、この曝気槽（２）で処理された処理汚水（３２）を処理汚泥（３３）と処理水（３４）とに分離する固液分離槽（３）とを備えている。この前処理とは、例えば、嫌気処理部（１）において流入汚水（２９）に対し微生物を働かせることによりその流入汚水（２９）を分解処理する嫌気処理である。
【０００７】
さらに、請求項２の発明において、前記曝気槽（２）と固液分離槽（３）との間には曝気槽（２）で処理された処理汚水（３２）を固液分離槽（３）に供給するサイホン管（２８）を接続している。曝気槽（２）で処理汚水（３０）の水位がサイホン管（２８）の出口（２８ａ）よりも高くなると、曝気槽（２）内の処理汚水（３０）がサイホン管（２８）により固液分離槽（３）に供給される。曝気槽（２）で処理汚水（３０）の水位がサイホン管（２８）の出口（２８ａ）よりも低くなると、曝気槽（２）内の処理汚水（３０）は固液分離槽（３）に供給されない。従って、曝気槽（２）内の処理汚水（３０）の水位に応じて、サイホン管（２８）により、固液分離槽（３）への処理汚水（３２）の供給量を制御することができる。ちなみに、このサイホン管（２８）で曝気槽（２）の処理汚水（３０）を出口（２８ａ）から固液分離槽（３）に供給する供給口（２８ｂ）をこの出口（２８ａ）よりも低い位置に設けている。
【０００８】
さらに、請求項３の発明において、前記曝気槽（２）には、処理汚水（３２）を固液分離槽（３）に供給する高水位排出口（２１）を設けるばかりではなく、この高水位排出口（２１）よりも低い位置に低水位排出口（２８ａ）を有するサイホン管（２８）を接続し、前記固液分離槽（３）にはこのサイホン管（２８）を接続している。曝気槽（２）で処理汚水（３０）の水位が高水位排出口（２１）よりも高くなると、曝気槽（２）内の処理汚水（３０）が、この高水位排出口（２１）から固液分離槽（３）に供給されるとともに、サイホン管（２８）の低水位排出口（２８ａ）から固液分離槽（３）に供給される。曝気槽（２）で処理汚水（３０）の水位が高水位排出口（２１）とサイホン管（２８）の低水位排出口（２８ａ）との間にある場合には、曝気槽（２）内の処理汚水（３０）がサイホン管（２８）の低水位排出口（２８ａ）からのみ固液分離槽（３）に供給される。曝気槽（２）で処理汚水（３０）の水位がサイホン管（２８）の低水位排出口（２８ａ）よりも低くなると、曝気槽（２）内の処理汚水（３０）は固液分離槽（３）に供給されない。従って、曝気槽（２）内の処理汚水（３０）の水位に応じて、高水位排出口（２１）及びサイホン管（２８）により、固液分離槽（３）への処理汚水（３２）の供給量を制御することができる。ちなみに、このサイホン管（２８）で曝気槽（２）の処理汚水（３０）を低水位排出口（２８ａ）から固液分離槽（３）に供給する供給口（２８ｂ）をこの低水位排出口（２８ａ）よりも低い位置に設けている。
【発明の効果】
【０００９】
本発明は、曝気槽（２）を備えた汚水処理装置において、曝気槽（２）等の槽から固液分離槽（３）等の槽へ水位に応じて処理汚水（３２）を送るための処理汚水供給量制御機構としてサイホン管（２８）を利用したので、処理汚水供給量制御機構の設備費を低減することができる。
【発明を実施するための最良の形態】
【００１０】
以下、本発明の一実施形態にかかる汚水処理装置について図１を参照して説明する。
この汚水処理装置は大別して下記の嫌気処理槽１と曝気槽２と固液分離槽３とを備えている。
【００１１】
前記嫌気処理槽１においては、外壁４が底壁５と周壁６と天井壁７とからなり、この外壁４内には汚水滞留部８が設けられている。この汚水滞留部８においては、周壁６で相対向する両側壁６ａ，６ｂのうち、一方の側壁６ａから他方の側壁６ｂへ向けて底壁５と平行に延設された複数の仕切板９と、他方の側壁６ｂから一方の側壁６ａへ向けて底壁５と平行に延設された複数の仕切板９とが、底壁５から天井壁７にわたり上下方向で交互に配設され、この底壁５と各仕切板９と天井壁７との間で汚水滞留路１０が設けられている。この汚水滞留路１０においては、底壁５と最下の仕切板９との間の最下通路１０ａに連通された入口１１が一方の側壁６ａに設けられ、最上の仕切板９と天井壁７との間の最上通路１０ｂに連通された出口１２が他方の側壁６ｂに設けられている。この最上通路１０ｂにはガス管１３が天井壁７から導入されている。
【００１２】
前記曝気槽２においては、外壁１４が底壁１５と周壁１６と天井壁１７とからなり、この外壁１４内には複数のエア供給管１８が天井壁１７から底壁１５に向けて外壁１４内の下半部まで導入されている。この各エア供給管１８の下端部には外壁１４内でエア供給口１８ａが設けられている。この各エア供給管１８はそれらのエア供給口１８ａが底壁１５に対し接近離間できるように上下方向へ移動調節可能に支持されている。前記嫌気処理槽１からのガス管１３も天井壁１７から底壁１５に向けて外壁１４内の下半部まで導入されている。周壁１６の下半部には前記嫌気処理槽１の出口１２に対し搬送管１９により接続された入口２０が設けられている。周壁１６の上半部には高水位排出口２１が設けられている。なお、この搬送管１９には堰（図示せず）が設けられている。
【００１３】
前記固液分離槽３においては、沈澱槽２２の上端部に環状の溢水路２３が設けられているとともにこの溢水路２３の内側で入口２４が設けられ、この入口２４と前記曝気槽２の高水位排出口２１とが搬送管２５により堰（図示せず）を介して接続されている。沈澱槽２２の下端部に設けられた出口２６は前記嫌気処理槽１の入口１１に対し搬送管２７により接続されている。
【００１４】
前記曝気槽２の周壁１６にはサイホン管２８が搬送管２５よりも低い位置で接続されている。この曝気槽２内でサイホン管２８には高水位排出口２１よりも低い位置で低水位排出口２８ａが設けられている。この曝気槽２からのサイホン管２８は前記固液分離槽３で入口２４から沈澱槽２２に導入され、この沈澱槽２２内でサイホン管２８の供給口２８ｂは前記低水位排出口２８ａよりも低い位置に設けられている。
【００１５】
前記嫌気処理槽１において、流入汚水２９は、入口１１から汚水滞留路１０に供給され、その汚水滞留路１０を通って出口１２に到る間に微生物の働きにより嫌気処理されて分解処理され、その出口１２から搬送管１９及びその堰（図示せず）を通って前記曝気槽２の入口２０に処理汚水３０として供給される。
【００１６】
前記曝気槽２内において、嫌気処理槽１からの処理汚水３０内には前記ガス管１３及び各エア供給管１８のエア供給口１８ａが導入され、この処理汚水３０はエア供給口１８ａからの酸素供給条件下で微生物の働きにより好気処理されて分解処理される。前記嫌気処理槽１で発生したメタンやアンモニア等のガス３１は、前記ガス管１３を通って曝気槽２内の処理汚水３０に供給される。
【００１７】
前記曝気槽２内で処理汚水３０の水位が高水位排出口２１よりも高い場合、曝気槽２内の処理汚水３０は、その高水位排出口２１から搬送管２５及びその堰（図示せず）を通って前記固液分離槽３の入口２４に処理汚水３２として供給されるとともに、前記サイホン管２８で低水位排出口２８ａと供給口２８ｂとを通って前記固液分離槽３の沈澱槽２２に処理汚水３２として供給される。
【００１８】
前記曝気槽２内で処理汚水３０の水位が高水位排出口２１よりも低いが、前記サイホン管２８の低水位排出口２８ａよりも高い場合、曝気槽２内の処理汚水３０は、サイホン管２８で低水位排出口２８ａと供給口２８ｂとを通って前記固液分離槽３の沈澱槽２２に処理汚水３２として供給される。
【００１９】
前記曝気槽２内で処理汚水３０の水位が前記サイホン管２８の低水位排出口２８ａよりも低い場合、曝気槽２内の処理汚水３０は前記固液分離槽３に供給されない。
前記固液分離槽３においては、沈澱槽２２で処理汚水３２から処理汚泥３３が沈澱して分離されるとともに上澄水が分離され、その処理汚泥３３が出口２６から搬送管２７を通ってポンプ（図示せず）により搬送されて前記嫌気処理槽１の入口１１に返送されるとともに、その上澄水が処理水３４として溢水路２３から搬出される。
【図面の簡単な説明】
【００２０】
【図１】本実施形態にかかる汚水処理装置を概略的に示すシステム図である。
【符号の説明】
【００２１】
１…嫌気処理槽、２…曝気槽、３…固液分離槽、２１…高水位排出口、２８…サイホン管、２８ａ…低水位排出口、２８ｂ…供給口、２９…流入汚水、３０…嫌気処理槽からの処理汚水、３２…曝気槽からの処理汚水、３３…処理汚泥、３４…処理水。
【図１】
2006224072.tif 000003